(57)【要約】      （修正有）【課題】膨大な面積を有する道路や鉄道の法面を利用して、また除草作業を低減できる防草シート一体型の太陽光発電機構造を提供する。【解決手段】太陽光発電シートをリベットにより結合させた防草シートを、道路や鉄道等の法面に金属ピン、リベット、抗によって施行する。太陽光発電シートには、フレキシブル太陽光発電シート又はアモルファスシリコンの太陽光発電シートを使用する。【選択図】図３
0003168939.tif 000002
【実用新案登録請求の範囲】
【請求項１】
太陽光発電シートをリベットにより結合させた防草シートを、道路や鉄道、或いは造成地の法面に、金属ピン、リベット、杭によって施工して、防草機能と太陽光発電機能を合わせ持たせることを特徴とする防草シート一体型の太陽光発電機構造
【請求項２】
太陽光発電シートとして、フレキシブル太陽光発電シートを使用することを特徴とする請求項１の防草シート一体型の太陽光発電機構造
【請求項３】
太陽光発電シートとして、アモルファスシリコンの太陽光発電シートを使用することを特徴とする請求項１の防草シート一体型の太陽光発電機構造
【考案の詳細な説明】
【技術分野】
【０００１】本考案は、河川や道路の法面等において、防草機能と太陽光発電機能を併せ持つ防草シート一体型の太陽光発電機構造に関する。
【背景技術】
【０００２】太陽光発電は、国としての施策もあり、工場においても家庭においても徐々に普及してきた。原子力発電所の事故等を考えると、自然エネルギーの活用をさらに進める必要がある。国内各地の温泉地近傍の地熱、丘陵地帯での風力発電、海上の波力発電等も研究されているが、太陽光発電が最も進んでいる。最近、全国各地にある耕作放棄地を利用した大規模太陽光発電、いわゆるメガソーラー発電設備を整備する動きが、地方自治体に見られる。【０００３】さらに、太陽光発電の技術の進歩も著しく、単結晶シリコンから出発したシリコン太陽電池も多結晶タイプや単結晶とアモルファスのハイブリッドタイプへと進歩し、さらにアモルファスシリコンによるフレキシブルなシートタイプが開発されている。【０００４】一方、スパンボンド方式の長繊維不織布が改良され、太陽光をカットして透水性のあるフレキシブルなシートとなり、法面の防草シートとしての利用が進んでいる。本考案者は、それぞれ独立に発展している材料を組み合わせて、全国の高速道路の法面や鉄道の法面等の長さに応じて、大規模な防草シート一体型太陽光発電機を考案した。
【特許文献】
【０００５】公開特許公報と公開実用新案公報により検索項目選択を、要約、請求の範囲及び公報全文とし、法面及び太陽光発電をキーワードとして検索した。５件が検索された。耐震貯水堤防の利用に太陽光発電設備を設置することが請求項２に記載されている（特許文献１）。ガリレオ式望遠鏡の光学系を応用した集光レンズ効果の太陽電池モジュールに関する特許で、太陽光エネルギーの複合利用システム装置について請求したものがある（特許文献２）。また、発泡樹脂を利用した法面補強工法の特許があり、壁面に太陽光発電パネルを取付けてもよいとある（特許文献３）。【０００５】道路を通行する車両によって発生する振動からの圧電効果による発電の特許であって、他の自然エネルギーとの複合に関する記載がある（特許文献４）。特許文献５は、中山間地に存在する棚田の棚田面や法面に自然エネルギー利用装置を設置する自然エネルギー利用設備である。自然エネルギーとしては、太陽光と風力を取り上げている（特許文献５）。
【特許文献１】特開２０１０−１１２１６３
【特許文献２】特開２００７−２１４２３５
【特許文献３】特開２００６−００２４３５
【特許文献４】特開２００５−３５３０１５
【特許文献５】特開２００３−０２１４０３
【０００６】つぎに、公開特許公報フロントページ検索で、道路法面又は鉄道法面及び太陽光電池をキーワードとしてテキスト検索したが、ゼロ件であった。既存の高速道路の法面や盛り土の上にレールを敷いている鉄道線路の法面に、防草と太陽光発電を兼ねた法面施工をする考は、これまでの特許には存在していない。
【非特許文献】
【０００７】法面の防草のために、透水性があり遮光性のある不織布を施工することは広く行われている。スパンボンド不織布は、雑草の生育防止に使用されており、環境面から接着剤を使用しない熱融着不織布が採用されている。
【考案の概要】
【考案が解決しようとする課題】
【０００８】本考案者は、膨大な法面を有する道路や鉄道を利用して、また、毎年必要な除草作業の省略をねらって、法面での防草シート一体型の太陽光発電の実現を課題とした。休耕田を発電場所に利用するとその復活は困難であり、休耕田では輸出用の米やその他の農作物を生産し、発電には全国に存在する道路法面又は鉄道法面、或いは住宅地法面を使用して、防草シートに発電機能を付与して施工し、大型の発電施設に変革させることを提案するものである。
【課題を解決するための手段】
【０００９】ほとんどの太陽光をさえぎる比較的目付けの大きいスパンボンドやニードルパンチ不織布を防草シートとして使用して、その表面にフレキシブルな太陽光発電シートを取付ける。取付け方は、リベットツールを使用して、不織布と太陽光発電のベースフィルムとを結合させる。軽量な締結工具を使用してリベットによる締結である。ニードルパンチのような柔らかい不織布を使用したときには、プラスチック製のプッシュボタンクリップにより取付けてもよい。これらは片側作業によって行うことができる。【００１０】つぎに、太陽光発電シートと締結した防草シートを法面に取付ける方法であるが、アンカーピンとして、金属製やプラスチック製のものを使用する。長さは３０ｃｍ程度あった方が、強固に固定できる。このアンカーピンは、太陽光発電シートの裏側の調査のため抜くことができるのが望ましい。土の中への挿入であり、中で広がって抜きにくくすることはできないが、プラスチック製のピンでは、フック状の返り構造を持たせると、抜きにくい構造が達成できる。
【考案の効果】
【００１１】道路や鉄道の法面において、防草機能と太陽光発電が実現できる施工資材はこれまでになかった。田舎や里山を通過している高速道の法面及び道路側の法面への設置が考えられる。小規模発電から大規模発電まで、地元で有効に利用できる必要電力に合わせて、本考案の防草機能を有する法面の太陽光発電機構造を応用することができる。また、河川の法面については、毎年の防草作業が大変であったが、発電を兼ねた防草シートの施工により、防草作業が大幅に低減できる。
【図面の簡単な説明】
【００１２】
【図１】防草シートに、３２枚の太陽光発電シートを設置した模式図
【図２】フィルム基板の上に、短波長から長波長までの太陽光を吸収するセルを重ねたアモルファスシリコン太陽電池の模式図
【図３】防草機能と太陽光発電が行える長尺の施工資材の一部の模式図太陽光電池と防草シートをリベットやファスナーで取付けた模式図
【考案を実施するための形態】
【００１３】防草シートは、国内外で製造販売されているスパンボンド、ニードルパンチ不織布が最適であるが、フィルムヤーンで織った厚い編織布でも良い。遮光率として９０％以上が望ましい。幅が１ｍ又は２ｍで、長さが１００ｍの防草シートを用意して、リベットツールにより片面から防草シートと太陽光発電シートを、５０ｃｍから１００ｃｍ間隔で結合させる。図１は、結合した太陽電池の模式図である。図２又は図３の２に示すフィルム部で固定する。
【００１４】この結合したシートを、設置しようとする法面に施工していく場合も、図３の７で示すように、５０ｃｍから１００ｃｍの間隔で、約４０ｃｍ長さのプラスチック杭或いは金属杭を打ち込んで、法面に固定する。簡単には抜けないように、プラスチック杭は丸棒ではなく、角状の断面で、エッジにフック状の返り構造があるものを使用するとよい。同様な構造のステンレスのような金属製の杭を使用しても良い。
【実施例】
【００１５】太陽電池シートとして、幅４６ｃｍ、長さ３．４ｍのフレキシブル太陽光発電シートを、３２枚用意した。幅２ｍ、長さ３０ｍ、厚さ０．６４ｍｍのポリプロピレンスパンボンドの黒色シートの上に、図３のＡに示すように、太陽電池の基板フィルムを防草シートに取付けるリベット６を５０ｃｍ間隔で打ち込んで、太陽光発電シートを固定した。シートは図３の８の点線で示すように、一部重ねた状態で固定した。また、図３の７で示すように、太陽電池を取付けた防草シートを法面に固定する杭を、一定間隔で打ち込んで、防草シート一体型の太陽光発電機構造を完成させた。杭の間隔は、１ｍ間隔程度でよいが、法面の土質によって加減する。【００１６】模式的に図１に示すように、フィルム型の太陽電池３２枚によって、幅２ｍ、長さ約３０ｍの防草シート一体型の太陽光発電機構造を完成させ、１枚当り９２Ｗの電力が得られ、３２枚合計で、最大２９００Ｗの発電に成功した。
【産業上の利用可能性】
【００１７】道路法面や河川法面では、除草に多大の労力を要している。その除草機能と太陽光発電を同時に行う本考案は、多くの自治体で受け入れてもらえると考えている。法面発電は、その電力の利用次第で、拡大の余地がある。
【符号の説明】
【００１８】１防草シート
２太陽電池の基板フィルム
３太陽光発電シート
４太陽光発電シートからのコード
５端子箱
６太陽電池の基板フィルムを防草シートに取付けるリベット
７太陽電池を取付けた防草シートを法面に固定する杭
８太陽光電池フィルム２のオーバーラップ箇所
Ａ図３の左端の部分で、太陽電池の基板フィルムを防草シートに取付けるリベット及び防草シートを法面に固定する杭を示した模式図
【図１】
0003168939.tif 000003
【図２】
0003168939.tif 000004
【図３】
0003168939.tif 000005